(57)【要約】【課題】  管理人室に設置される映像制御装置を使用して、集合玄関機のカメラの画像をモニタできるようにする。【解決手段】 集合玄関に設置される集合玄関機１０と、住戸内に設置される住宅情報盤との間に接続され、管理人室に設置される映像制御装置３０において、集合玄関機１０のカメラ１１で撮像され、変調された映像信号を復調する復調回路３４を設けた。  集合玄関機１０のカメラ１１で撮像され、変調回路１２によって変調された映像信号は、映像制御装置３０に入力すると、映像制御装置３０に設けた復調回路３４によって復調される。このため接続部３５を介して取り付けたモニタ４０などにより、集合玄関機１０のカメラ１１の映像を確認することができる。【選択図】図１
2007116463.tif 000002
【特許請求の範囲】
【請求項１】
集合玄関に設置される集合玄関機と、住戸内に設置される住宅情報盤との間に接続され、管理人室に設置される映像制御装置において、
集合玄関機のカメラで撮像され、変調された映像信号を復調する復調回路を設けたことを特徴とする映像制御装置。
【請求項２】
前記復調回路に接続部を接続し、該接続部にモニタを接続することを特徴とする請求項１記載の映像制御装置。
【請求項３】
前記復調回路にモニタを接続し、該モニタを映像制御装置の筐体に設けたことを特徴とする請求項１記載の映像制御装置。
【発明の詳細な説明】
【技術分野】
【０００１】
この発明は、インターホンシステムで使用される映像制御装置に関する。
【背景技術】
【０００２】
従来のインターホンシステムとして、例えば、特許文献１に示されるシステムがある。この従来のシステムを図２を使用して説明する。図２において、ＴＣは管理人室ＣＲに設けられた管理人室親機（通話制御装置）、ＶＣは管理人室ＣＲに設けられ、内部に電源供給回路ＰＳを有する映像制御装置、ＥＰはマンション等の集合住宅の集合玄関に設けられた集合玄関機、ＣＭは集合玄関機ＥＰに設けられたカメラ、ＶＡ１〜ＶＡｎは映像アダプタ、Ｊ１〜Ｊｎは集合住宅の複数の部屋Ｒ１〜Ｒｎにそれぞれ設けられたインターホンを備えた住宅情報盤、Ｍ１〜Ｍｎは集合住宅の複数の部屋Ｒ１〜Ｒｎにそれぞれ設けられたモニタ装置である。また、Ｌ１は通話・制御線、Ｌ２は映像線、Ｌ３は制御線である。なお、図示しないが、住戸の玄関には、カメラを有するテレビドアホン（玄関子機）が設置され、住宅情報盤Ｊ１・・Ｊｎと接続されている。
【０００３】
この従来のインターホンシステムは住宅情報盤Ｊ１・・Ｊｎと集合玄関機ＥＰとの間でモニタ機能を有する。訪問者が例えば集合玄関機ＥＰの図示しないテンキーを操作して訪問すべき部屋番号例えば１０１を入力し、次に図示しない呼出釦を押すと、集合玄関機ＥＰから通話・制御線Ｌ１を介して通話制御装置ＴＣに住宅コードと呼出コードからなる呼出信号が送出される。
【０００４】
通話制御装置ＴＣは、映像制御装置ＶＣに呼出信号（制御信号）を送信し、これにより映像制御装置ＶＣの電源供給回路ＰＳから集合玄関機ＥＰのカメラＣＭに電源が供給され、カメラＣＭの映像信号が映像制御装置ＶＣを介して住宅情報盤Ｊ１・・Ｊｎ側に送信される。また、通話制御装置ＴＣは集合玄関機ＥＰから呼出信号を受信すると、その呼出信号を通話・制御線Ｌ１を介して１０１号室の住宅情報盤Ｊ１に送出し、その後訪問者と１０１号室の居住者との間で通話が行われる。なお、映像制御装置の具体的な内部構成については、例えば特許文献２で示されている。
【０００５】
映像信号についてもう少し詳しく説明すると、映像制御装置ＶＣはカメラＣＭから映像信号を受信すると、その映像信号と内蔵された電源供給回路ＰＳが出力する電源信号を重畳して各映像アダプタＶＡ１に送出している。そして、通話の呼出が行われている１０１号室の住宅情報盤Ｊ１からそれに対応する映像アダプタＶＡ１に制御線Ｌ３を介して制御信号が送られると、映像アダプタＶＡ１は対応するモニタ装置Ｍ１と映像線Ｌ２との回線を接続して映像信号と電源信号を１０１号室のモニタ装置Ｍ１に送出することにより、モニタ装置Ｍ１が起動して訪問者が映し出される。
【０００６】
このようにして、１０１号室の居住者は訪問者との通話とモニタ装置Ｍ１の映像とで訪問者を確認することができる。そして、集合玄関に入館用の自動ドアがある場合には、住宅情報盤Ｊ１の図示しない解錠スイッチを操作すると、通話・制御線Ｌ１を介して集合玄関機ＥＰの電気錠に解錠信号が送られ、自動ドアが開放される。
【特許文献１】特開２００１−３５２５４０号公報
【特許文献２】特開平１０−３３６６３６号公報
【発明の開示】
【発明が解決しようとする課題】
【０００７】
従来のインターホンシステムにおいては、集合玄関機のカメラで撮像された映像は、住戸内の住宅情報盤のモニタで確認できるが、管理人室では、確認することができなかった。
【０００８】
更に、最近では、マンションの構造が複雑化し、管理人室の離れた所にも集合玄関が設けられるようになり、管理人室で、集合玄関機のカメラの映像を確認できるようにすることが望まれている。
【０００９】
そこで、本発明は、管理人室に設置される映像制御装置を使用して、集合玄関機のカメラの画像をモニタできるようにすることを目的とする。
【課題を解決するための手段】
【００１０】
本発明は、集合玄関に設置される集合玄関機と住戸内に設置される住宅情報盤との間に接続され、管理人室に設置される映像制御装置において、集合玄関機のカメラで撮像され、変調された映像信号を復調する復調回路を設けたことを特徴とするものである。
【発明の効果】
【００１１】
この発明によれば、集合玄関機のカメラで撮像され、変調回路によって変調された映像信号が、管理人室に設置された映像制御装置に入力すると、映像制御装置に設けた復調回路によって復調される。このため接続部を介して取り付けたモニタや映像制御装置の筐体に直に取り付けたモニタにより、集合玄関機のカメラの映像を確認することができる。
【発明を実施するための最良の形態】
【００１２】
この発明の実施の形態を図１に基づいて説明する。図１は、この発明の映像制御装置を含んだインターホンシステムの構成を示すブロック図である。
【００１３】
図１のインターホンシステムは、集合玄関に設置される集合玄関機１０、通話制御装置２０、映像制御装置３０から構成されている。これら通話制御装置２０及び映像制御装置３０には、それぞれ通話制御線Ｌ１、映像線Ｌ２を介して、住戸内に設置される住宅情報盤と映像アダプタが接続されるが、図２の従来例で示したシステムと同じであるので、図示を省略する。
【００１４】
映像制御装置３０及び通話制御装置２０は管理室内に設置される。この通話制御装置２０は通話制御線Ｌ１を介して集合玄関機１０と住宅情報盤との間に接続され、映像制御装置３０が映像線Ｌ２を介して集合玄関機１０と住宅情報盤との間に接続されている。こうして、集合玄関機１０は、通話制御装置２０、映像制御装置３０を介して住宅情報盤と相互に通話可能になっている。
【００１５】
集合玄関機１０は、訪問者を撮像するカメラ１１と、カメラ１１の映像信号を例えばＦＭ変調する変調回路１２と、住戸番号を指定するテンキーや呼出釦からなる操作部１３と、通話回路１４とを備えている。通話制御装置２０は、インターホンシステムの通話を制御する機能の他に、各住戸に設置した住宅情報盤とほぼ同じ機能を有する管理人室親機としての機能を併せ持つ。この通話制御装置２０は、集合玄関機１０からの呼出がある時に、呼出信号を映像制御装置３０と住宅情報盤に出力し、住宅情報盤側で通話操作が行われると、住宅情報盤と集合玄関機１０との間で通話が行えるように制御する。
【００１６】
続いて映像制御装置３０の内部構成について説明する。３１は電源回路で、商用電源を、例えば２４Ｖと５Ｖの直流電源にして、各回路等に５Ｖの電源を供給する。３２は電源重畳回路で、ＦＭ変調された映像信号に直流電源を重畳して、映像線Ｌ２を介して住戸側へ送出する。３３は常時は開放されたスイッチで、集合玄関機１０の変調回路１２と映像制御装置３０の電源重畳回路３２との間に設けられる。
【００１７】
３４は復調回路で、電源重畳回路３２から住戸側へ延びる映像線Ｌ２から分岐された分岐線Ｌ３に接続されている。この復調回路３４により、分岐線Ｌ３を通る映像信号、つまり、集合玄関機１０のカメラ１１で撮像され、変調された映像信号が復調される。３５はコネクタ等から形成される接続部で、復調回路３４と接続され、映像制御装置３０の内部基板又は筐体表面に設けられる。この接続部３５は、外部に復調された映像信号を出力するためのもので、接続部３５を利用して、映像制御装置３０にはモニタ４０が外付けで接続される。
【００１８】
なお、映像制御装置３０の筐体自体にモニタを設けて、そのモニタと復調回路とを接続するようにしてもよい。３６はＭＰＵなどから構成される制御部で、映像制御装置３０内の各構成ブロックである電源回路３１〜復調回路３４に接続されて、各ブロックと信号命令のやりとりをして各ブロックを制御する。
【００１９】
次に、この発明の動作について説明する。訪問者が集合玄関に来て、集合玄関機１０の操作部１３のテンキーで訪問したい住戸番号を入力して呼出釦を押す。そうすると、通話制御線Ｌ１を介して通話制御装置２０に呼出信号が送出される。呼出信号は、そのまま通話制御線Ｌ１を介して住宅情報盤へ送られる共に、映像制御装置３０にも入力される。
【００２０】
映像制御装置３０の制御部３６は、呼出信号の受信に伴い、スイッチ３３を閉じるように制御する。スイッチ３３が閉じることにより、電源回路３１の直流電源が集合玄関機１０へと供給され、そうしてカメラ１１が駆動して訪問者を撮影する。カメラ１１で撮像された映像信号は、変調回路１２でＦＭ変調され、映像線Ｌ２を介して映像制御装置３０に出力される。
【００２１】
その変調された映像信号は、電源重畳回路３２で２４Ｖの直流電源と重畳されて、映像線Ｌ２を介して住戸情報盤の映像アダプダ側へと送られるが、その変調された映像信号の一部は、映像制御装置３０内で、分岐線Ｌ３を通って復調回路３４へと導かれる。復調回路３４は、変調された映像信号を復調して、接続部３５に接続されたモニタ４０に出力する。こうして、管理人室内において、モニタ４０により、集合玄関機１０のカメラ１１の映像を確認することができる。また、このモニタ４０は、集合玄関機１０に訪問者が来た時にのみに、復調回路を経由して映像信号がはじめて表示されるので、通常の監視用カメラのモニタのように、常時、モニタに監視映像が表示されているわけではないので、集合玄関を監視する作業が楽である。
【００２２】
なお、本実施形態においては、集合玄関機１０が１台だけしか設置されていない場合で説明したが、映像制御装置３０には、複数の集合玄関機１０を接続するようにしてもよい。この場合には、切換用のスイッチ３３が複数設けられ、また映像線Ｌ２も複数本設けられることになる。復調回路３４も映像線Ｌ２毎に分岐線Ｌ３を介して設けられるので、複数用意されるが、選択用のスイッチを使用して一つの復調回路にモニタを一つだけ接続するようにしてもよい。また、例えば８つの集合玄関機があり、映像用の系路が２つしかない場合には、その系路毎に復調回路が一つ設けられる。このように映像用の系路が複数ある場合には、系路毎のモニタを映像制御装置に横又は縦に並べて設ける。こうすれば、複数ある集合玄関機の映像をまとめて見ることができるので、監視しやすくなる。
【００２３】
また、接続部に接続されるモニタとしてパソコンを接続するようにしてもよく、集合玄関から呼出があったときに、パソコン内に取り込んだ集合玄関のカメラの映像を管理人の携帯電話などに出力するようにしてもよい。また、復調回路には、映像信号を録画する録画回路を設けるようにしてもよい。録画回路は、例えば次のような場合に起動させるように制御部で制御する。集合玄関機からの呼出があって、所定時間、呼出信号が継続しても住戸又は管理人室親機との通話が開始されないような場合、つまり呼出信号受信時に内蔵タイマを起動して、所定時間経過した時に、録画回路を起動して、その時の集合玄関機のカメラの映像信号を復調回路を介して録画するようにする。このようにすると、集合玄関の訪問者のうち、居住者や管理人と話せなかった人だけを録画することができる。なお、映像制御装置と通話制御装置はどちらも管理室内に設置されるので、筐体を一つにまとめるようにしてもよい。
【図面の簡単な説明】
【００２４】
【図１】映像制御装置を含んだインターホンシステムのブロック図である。
【図２】従来のインターホンのシステム図である。
【符号の説明】
【００２５】
１０  集合玄関機、  １１  カメラ、  １２  変調回路、  １３  操作部、
１４  通話回路、  ２０  通話制御装置、  ３０  映像制御装置、
３１  電源回路、  ３２  多重回路、  ３３  スイッチ、  ３４  復調回路、
３５  接続部、  ３６  制御部、  ４０  モニタ、  ｔｔ
Ｌ１  通話制御線、  Ｌ２  映像線、  Ｌ３  分岐線、
【図１】
2007116463.tif 000003
【図２】
2007116463.tif 000004